(57)【要約】      （修正有）【課題】故人の家名、通夜・告別式などの葬儀の日時などを紙等に手書きする手間と、紙等を木枠に張装する手間をなくすと共に、電柱等の外周に馴染むように取り付け可能にする。【解決手段】縦矩形状に成形した可撓性シートの前面略中央部に用紙貼着枠Ｌを有し、下部に葬儀式場などの固定情報１２を表示したパネル２と、故人の家名、家紋、通夜や葬儀の日時などを表示した案内文言紙３と、片側の剥離紙を剥離することなく貼着した状態で、周縁の複数箇所に貼着される両面接着テープＴとからなり、パネル２の用紙貼着枠Ｌ内に、裏面の両面接着テープＴの剥離紙を除去して前記案内文言紙３を貼り付けた構成である。【選択図】図１
0003141272.tif 000002
【実用新案登録請求の範囲】
【請求項１】
縦矩形状に成形した合成樹脂製の可撓性シートの前面略中央部に用紙貼着枠を形成すると共に下部に葬儀式場及び連絡先などの固定情報を表示した硬質パネルと、
前記硬質パネルの用紙貼着枠に貼着する故人の家名、家紋、通夜や葬儀の日時などを表示した縦矩形状の案内文言紙と、
前記案内文言紙裏面に、片側の剥離紙を剥離することなく貼着した状態で、周縁複数箇所に貼着される両面接着テープとからなり、
前記パネルの用紙貼着枠に、前記案内文言紙を当接し、裏面の両面接着テープの前記剥離紙を除去して前記案内文言紙を貼り付けてなることを特徴とする葬儀用案内板。
【請求項２】
前記パネルには、縦中央線を挟んで左右対称にかつ前記案内文言紙で覆われる位置に、紐または針金からなる締結体を通す一対の小孔が上下に設けられていることを特徴とする請求項１に記載の葬儀用案内板。
【請求項３】
前記パネルの用紙貼着枠には、前記案内文言紙の貼着位置を示す目印が設けられていることを特徴とする請求項１に記載の葬儀用案内板。
【考案の詳細な説明】
【技術分野】
【０００１】
本考案は、葬儀場近辺の交差点或いは道路筋など、参列者の目につき易い箇所、例えば電柱、歩道設置物などに取り付けられて、通夜や告別式などが執り行われる葬儀場への道筋を案内する葬儀用案内板に関する。
【背景技術】
【０００２】
葬儀には、葬儀参列者に、通夜ゃ告別式の日時や葬儀場などを案内するために、葬儀場近辺の適宜箇所に、故人の家名などを記した葬儀用案内板を立てる。この葬儀用案内板には、木製枠に布地或いは紙を張装した立て看板、或いはアクリル樹脂或いは塩化ビニル樹脂などの硬質プラスチック材を縦長状に形成した硬質パネル看板などが使用されている。これに故人の家名、通夜・告別式の日時や葬儀場への矢印などの案内用文言を表記している。
【０００３】
このような葬儀用案内板は、歩道などに沿って立設されている電柱や歩道設置物に、紐や針金を用いて結着される。紐や針金は、葬儀用案内板に巻き付けたり、上部の２隅に設けられ釘に引掛け、前記電柱や歩道設置物の所定高さの位置に縛り付けたりする。
【０００４】
更に、金属板に案内用文言を表記した表示板などを添着した可動性の葬儀用案内装置なども提案されている（例えば、特許文献１参照）。
【特許文献１】特開平０７−２９５４９２号公報
【考案の開示】
【考案が解決しようとする課題】
【０００５】
しかしながら、従来の葬儀用案内板で、木枠に布或いは紙を張装した立て看板は、軽くて便利であるが、木枠への案内用文言の貼付けと故人の家名、通夜・告別式の日時や葬儀場への矢印などが手書き作業で行われるため、製作に手間を要する。また、アクリル板や塩化ビニル板などの硬質パネル看板は、素材が硬質プラスチック樹脂を基板として用いるため、これを取付ける電柱や歩道設置物の外形に馴染まないので、取扱いが不便である。更に、硬質パネル看板は、硬質であるため、角部が歩行者の顔や肩に触れると、怪我を負わせる恐れがあるという問題があった。
【０００６】
また、前記立て看板は、故人の家名、通夜・告別式の日時や葬儀場などを手書きで記入する作業が煩わしく、特に家紋を入れる場合には、別途別物を取り付け作業が加わり、作業が煩雑となっている。葬儀用案内板の数が多くなればなるほど、この作業は時間が掛かり煩雑となっている。このため、葬儀費用の上昇を招くという問題があった。
【０００７】
また、立て看板の布地や紙は、耐湿性に欠けるため、湿気や雨に晒されると案内用文言に変化が生じ、外観がよくない。
【０００８】
本考案は、前記のような従来の問題点に着目してなされたものであり、故人の家名、通夜・告別式などの葬儀の日時や、葬儀場などの案内用文言を機械的に作成して、布地や紙等に手書きする手間と、布地や紙等を木枠に張装する手間をなくすと共に、電柱や歩道設置物の外周に馴染むように取り付けることができ、歩行者に傷害を与えるのを防止できる葬儀用案内板を提供することを目的とする。
【０００９】
前記目的達成のために、本考案にかかる葬儀用案内板は、縦矩形状に成形した合成樹脂製の可撓性シートの前面略中央部に用紙貼着枠を形成すると共に下部に葬儀式場及び絡先などの固定情報を表示した硬質パネルと、前記硬質パネルの用紙貼着枠に貼着する故人の家名、家紋、通夜や葬儀の日時などを表示した縦矩形状の案内文言紙と、前記案内文言紙裏面に、片側の剥離紙を剥離することなく貼着した状態で、周縁複数箇所に貼着される両面接着テープとからなり、前記パネルの用紙貼着枠に、前記案内文言紙を当接し、裏面の両面接着テープの前記剥離紙を除去して前記案内文言紙を貼り付けてなることを特徴とする。
【００１０】
この構成により、縦矩形状の可撓性の硬質パネルを使用したことによって、電柱や歩道設置物などの円形外周に対して湾曲し、馴染み易く、安定して取り付けることができる。硬質パネルは、合成樹脂製の厚手に形成されているので、軽量で、持運びに便利である。故人の家名、通夜・告別式の日時、葬儀場への道筋を示す矢印が耐湿性の案内文言紙に機械的に印刷され、この案内文言紙を、これの裏面周辺部に貼り付けられた両面テープの離型紙を剥離するのみでパネルに貼着することができる。この場合に、前記用紙貼着枠内に案内文言紙を貼り付けることで、この案内文言紙をパネルの略中央部に位置させることができる。この結果、案内文言紙のパネルへの貼り付け作業の能率化を図ることができる。さらに、パネルは可撓性を持つため、歩行者の身体が触れても傷害を与えることを回避できる。
【００１１】
また、本考案にかかる葬儀用案内板は、前記パネルの縦中央線を挟んで左右対称でかつ前記案内文言紙で覆われる位置に紐または針金からなる締結体を通す一対の小孔が設けられていることを特徴とする。
【００１２】
この構成により、一対の小孔に通した紐または針金からなる締結体を、小孔を通して電柱或いは歩道設置物などに結着することにより、前記パネルを円形の電柱或いは歩道設置物の外周の所定位置に安全かつ安定して設置することができる。
【００１３】
また、パネルを紐や針金からなる締結体で、電柱や歩道設置物に取り付けた後に、案内文言紙を、締結体を覆うようにパネルに貼り付けられるために、締結体が覆われ葬儀用案内板としての外観がすっきりし、美観を損なわない。
【００１４】
また、本考案にかかる葬儀用案内板は、前記パネルに、前記案内文言紙の貼着位置を示す目印が印刷されていることを特徴とする。
【００１５】
この構成により、前記案内文言紙をパネル表面の指定した正規の位置にバランスよく正確に貼り付けることができる。
【考案の効果】
【００１６】
本考案によれば、故人の家名、通夜・告別式の日時、葬儀場への道筋を示す矢印を印刷した案内文言紙を、片面の剥離紙が除かれてこれに貼り付けられている両面接着テープの他の片面の剥離紙を剥がして、パネルに貼り付けることで、簡単かつ迅速に葬儀用案内板を形成できる。硬質パネルは、可撓性を有するので湾曲することで電柱や歩道設置物への馴染みが良く、相互の摩擦面積が十分に得られ、紐や針金などの締結体で取り付けた場合にも容易に位置ずれすることがなくなる。
【００１７】
また、前記案内文言紙の家名、通夜・告別式の日時や葬儀場などの案内用文言等は印刷によって得られるので、布地或いは紙にいちいち手書きで家名、通夜・告別式の日時や葬儀場を記入する必要がなくなる。案内用文言は、コンピュータのディスプレイ上で遺族、喪主の希望に応じた内容をレイアウトし、印刷機でプリントした案内文言紙を作成することができる。
【００１８】
前記パネルの略中央部に、このパネルに貼り付けられた両面接着テープの他の片面側の剥離紙を除去することにより露出する前記粘着材を介して、前記案内文言紙を貼付けることで、葬儀用案内板を簡単、迅速かつ安価に作成できる。
【００１９】
さらに、可撓性を備えたパネルを使用しているところから、このパネルの角部が仮に歩行者の体に触れるようなことがあっても、その角部が撓む（変形する）ことによって大きな危害を及ぼすことがなくなる。案内文言紙は、両面テープの剥離紙を取り除くだけで、粘着材を介してパネル表面に密着するように速やかに貼り付けることができ、手間を要しない。
【考案を実施するための最良の形態】
【００２０】
図１は本考案の実施の一形態による葬儀用案内板の正面図、図２は図１におけるパネルと案内文言紙の側面説明図、図３は図１におけるパネルと案内文言紙の縦断面図、図４は図１におけるパネルの正面図、図５は図１における案内文言紙の他の表示例を示す正面図、図６は本考案の葬儀用案内板を電柱に取り付けた状態を示す斜視図である。
【００２１】
図１〜図５に示すように、本考案に係る葬儀用案内板１は、合成樹脂製の可撓性がある硬質シートを縦矩形状に成形した硬質パネル２と、裏面の複数箇所、ここでは裏面周縁部の上下、側部、隅部など複数箇所に、片面側の剥離紙を除去することによって露出した粘着材４を介して他の片面側の剥離紙５が貼り付けられた所定長さの両面接着テープＴを貼り付けるとともに、表面には故人の家名６、家紋７、葬儀の日時８並びに葬儀場への道筋を示す矢印９等を標記した案内文言紙３とで構成される。
【００２２】
硬質パネル２は、図１に示すように、可撓性がある硬質パネルを縦矩形状に形成したもので、その表面に深緑色の樹脂をコーティングし、案内文言紙３を貼着する用紙貼着枠Ｌを略中央部を設け、その下部に当たる位置に葬儀場の名称、電話番号などの斎場情報１２が表示されている。硬質パネル２は、厚さ０．５〜１．５mm程度の合成樹脂製の可撓性のある硬質板が好ましく、これ以外でも可撓性を備えたものであれば特に限定しない。
なお、前記深緑色のコーティングは、図４に示す用紙貼着枠Ｌ内の領域Ｗになされ、この用紙貼着枠Ｌは後述する案内文言紙における凡その貼付位置を決める基準枠となる。
【００２３】
さらに、前記パネル２の素材として、ポリプロピレンなどの合成樹脂製のものが好適であが、そのほか、紙や布に合成樹脂の被膜処理を施したもの、あるいは紙や布に合成樹脂のシートを重ね合わせて一体化したものなども用いることができる。従って嵩張らず、重量が軽く、持ち運びや保管に便利になっている。このパネル２は、可撓性を備えているので、角部が人の体に触れても、その触れた部分が滑らかに曲がって、身体に危害や傷害を与えない。図中、１０はパネル２の上部および下部（斎場情報１２の上部）に穿設された一対の小孔、１１は小孔１０に通す紐または針金などの締結体である。
【００２４】
案内文言紙３は、表面が樹脂で耐湿加工した紙シートで形成され、裏面の複数箇所、ここでは裏面周縁部の複数箇所に、片面側の剥離紙（図示省略）を除去（剥離）することによって露出した粘着材４を介して、他の片面側の剥離紙５を持つ所定長さの両面接着テープＴが貼り付けられている。また、表面には前記コンピュータで作成された案内用文言がレーザ印刷されているので、湿気や雨に晒されても変形、変質を生じない。
【００２５】
可撓性パネル２の上下部には、図１に示すように、パネル２の縦中央線を挟んで左右対称でかつ前記案内文言紙３で覆われる位置に紐または針金からなる締結体１１を通す前記二対の小孔１０、１０が穿設されている。二対の小孔１０、１０は、取り付ける電柱１３や設置物などの径の大小に対応できるよう狭い間隔の小孔と、広い間隔の小孔の２種類を穿設することが望ましい。
【００２６】
これらの小孔１０、１０は、後述の締結体１１を挿通できるサイズ（例えば、３．０〜５．０mm）とされている。また、紐または針金などの締結体１１は、図５に示すように、パネル２の裏面側からこれらの小孔１０、１０の一方にそれぞれ挿通され、パネル２の表面側を通って、各孔１０、１０の他方に挿通され、パネル２の裏側へ戻るように導かれている。
【００２７】
案内文言紙３の表面には、図１、５に示すように、上部に葬儀場への道筋を示す矢印９、故人の家名６、告別式の日時８などが、黒色のレーザ印刷によって表示されている。この場合に、故人の家名６および道順の矢印９は目立つように大きく表示することもできる。
【００２８】
また、この案内文言紙３の裏面の複数箇所、ここでは裏面周縁部の複数箇所には、図２、３に示すように、片面側の剥離紙を除去することによって露出した粘着材４を介して他の片面側の剥離紙５が貼り付けられた、所定長さの両面接着テープＴを貼り付ける。
【００２９】
そして、この剥離紙５を剥離すると、図１に示すように、案内文言紙３がパネル２のほぼ中央部すなわち用紙貼着枠内に貼着される。なお、この貼着は、案内文言紙３がパネル２の表面側に顕れる締結体１１を覆うように貼着される。
【００３０】
このため、案内文言紙３により可撓性を持つパネル２の表面側に穿った小孔１０、１０及び締結体１１を覆うことができる。従って、締結体１１が案内文言紙３の表面側に露出することがなく、美観を損ねることはない。
【００３１】
また、パネル２の表面側に出た締結体１１を、前記のように案内文言紙３によって覆うために、図２〜３に示す小孔１０、１０に挿通した締結体１１の両端を、例えば図６に示すような電柱１３の背面側でそれぞれ緊締しながら結着する。これにより、パネル２を電柱１３の円形外周面に沿うように所望の高さ位置に保持させることができる。
【００３２】
次に、葬儀用案内板の取り付け方法を説明する。
パネル２は自身の可撓性のために電柱１３の周面に沿うように湾曲させることで簡単にフィットする。次に、粘着材４を２枚の剥離紙で挟んだ形態の両面接着テープＴであって、片面側の剥離紙（図示省略）を除去（剥離）したものを、図２に示すようにその粘着材４を介して案内文言紙３の裏面に貼り付けて準備を整える。
【００３３】
続いて、この案内文言紙３に貼り付けられた両面接着テープＴの他の片面側の剥離紙５を除去し、締結体１１により電柱１３に取り付けたパネル２の表面を覆うように、前記案内文言紙３を貼り付ける。なお、この貼り付けの際に、案内文言紙３の周縁部をパネル２に記入（印刷）された、前記用紙貼着枠Ｌ内の図４に示すような「¬（カギ）」状や線状の目印１４に位置合わせする。
【００３４】
これにより、案内文言紙３をパネル２表面の決められた位置に正確に貼り付けることができる。このとき締結体１１は案内文言紙３によって覆われ、図１に示すように、電柱１３の表面に沿うように葬儀用案内板１を取り付けることができ、良好な外観が得られる。
【００３５】
前記案内文言紙３の形成方法は、前述のように案内文言紙３に片側の剥離紙を除去した後の両面テープＴを予め一体化したシート（用紙）を印刷用紙として用いる。このシートをプリンタ（印刷機）にセットすることで、コンピュータで作成した矢印９、家名６、告別式の日時８等を、印刷用紙である案内文言紙３上の所定位置に、所定サイズにて速やかに印刷することができる。
【００３６】
また、この印刷は自動的に行われるものであるから、複数枚が迅速に得られる。そして、葬儀用案内板１を作成するに当たって、業者等は、印刷された案内文言紙３裏面の粘着材４から剥離紙５を剥離（除去）して、案内文言紙３をパネル２に貼り付ける。
【００３７】
従って、これまでのように手書きで、葬儀場への道筋を示す矢印９、家名６、通夜・告別式の日時８等を用紙の一枚一枚に書き込む作業がなくなる。また、案内文言紙３をパネル２に貼り付けるための糊付け作業もなくなる。この結果、葬儀用案内板の制作から設置までの作業能率が、従来に比べて大幅に改善されることとなる。
【００３８】
なお、前記においては、両面接着テープＴを案内文言紙３に貼り付けたままでプリンタにセットし、さらに印刷を行う場合について述べた。これに対して、案内文言紙３に印刷を行った後、両面接着テープＴを片面の剥離紙を取り除いた上でこの案内文言紙３に貼り付けるようにしてもよい。
【００３９】
図５は、案内文言紙３の他の表示例を示す。（ａ）は、葬儀場への道筋を示す矢印９、故人の家名６を縦に順次標記し、左側に通夜と告別式の日時を標記した例である。（ｂ）葬儀場への道筋を示す矢印９と故人の家名６の間に家紋７を入れた例である。（ｃ）は同一の式場で時間をおいて、例えば２つの葬儀が行われる場合で、案内文言紙３には２つの家名６、６を並記して印刷したものを用いることができる。なお、案内文言紙３への表記内容は、上記に限定されず、遺族、喪主などの好みに合ったデザイン、数が任意に採用されることはいうまでもない。
【００４０】
このように、本実施の形態の葬儀用案内板は、可撓性のある剛性シートを縦矩形状に成形し、前面の下部に葬儀式場や連絡先などの固定情報１２を印刷して形成されたパネル２と、表面に故人の家名、家紋、通夜や葬儀の日時などを表示した案内文言紙３と、案内文言紙３裏面の複数箇所に、片面側の剥離紙を除去することにより露出した粘着材４を介して貼り付けられた所定長の両面接着テープＴと、からなり、パネル２の略中央部に、両面接着テープＴの他の片面側の剥離紙５を除去することにより、露出する粘着材４を介して案内文言紙３を貼り付けたものである。
【００４１】
これによって、案内文言紙３を、これの裏面周辺部に貼り付けられた両面接着テープＴの離型紙５を剥離するのみでパネル２に簡単、迅速に貼着することができる。
また、故人の家名、葬儀場への道筋を示す矢印９などを手書きする手間がなくなり、立て看板や、硬質パネル看板に糊で貼り付ける手間をなくすることができる。また、案内文言紙３を貼り付けたパネル２を電柱１３や歩道設置物に馴染むように取り付けることができ、パネル２が歩行者に危害を与えることを、確実に防止することができる。
【産業上の利用可能性】
【００４２】
本考案は、案内文言紙を、これの裏面周辺部に貼り付けられた両面テープの離型紙を剥離するのみでパネルに簡単、迅速に貼着することができるとともに、分離、取外しが簡単にできる。また、故人の家名、通夜・告別式の日時や葬儀場などを手書きする手間を省くだけでなく、案内文言紙全面をパネルに貼り付ける手間が省かれる。更に、硬質パネルは可撓性を有するので、電柱等の円形外周に馴染むように取り付けることができるだけでなく、パネルが柔軟性をそなえているので、歩行者に対する危害を防止できる。更にまた、パネルは、目に付きやすい縦矩形状に形成されているので、葬儀場近辺の交差点或いは道路筋など、参列者の目につき易い箇所、例えば電柱、歩道設置物などの目線の位置に取り付けられのと、見易く、通夜や告別式などが執り行われる葬儀場への道筋を親切に案内することが出来る。
【図面の簡単な説明】
【００４３】
【図１】本考案の実施の一形態による葬儀用案内板の正面図である。
【図２】図１におけるパネルと案内文言紙の側面説明図である。
【図３】図１におけるパネルと案内文言紙の縦断面図である。
【図４】図１におけるパネルの正面図である。
【図５】図１における案内文言紙の他の表示例を示す正面図である。
【図６】本考案の実施形態による葬儀用案内板を示す斜視図である。
【符号の説明】
【００４４】
１…葬儀用案内板、２…パネル、３…案内文言紙、４…粘着材、５…離型紙、６…故人の家名、７…家紋、８…通夜・告別式の日時、９…矢印、１０…小孔、１１…締結体、１２…固定情報、１４…目印、Ｔ…両面接着テープ、Ｌ…用紙貼着枠。
【図１】
0003141272.tif 000003
【図２】
0003141272.tif 000004
【図３】
0003141272.tif 000005
【図４】
0003141272.tif 000006
【図５】
0003141272.tif 000007
【図６】
0003141272.tif 000008